(57)【特許請求の範囲】
【請求項１】
片面印刷時にシート状物のカールを除去し、両面印刷時にシート状物のカールを除去しないように切替えられるカール除去装置を備えた枚葉輪転印刷機におけるシート状物案内装置において、
シート状物の非画線部に対応して設けられ帯状体または線条体によって形成されたガイド部材と、このガイド部材が一端側に掛けられ退避位置と作動位置に移動されるガイド板とを備え、
両面印刷時には、前記ガイド部材が、作動位置に水平状態で位置付けられた前記ガイド板を回り込むようにしてシート状物の搬送経路に進出した位置に位置付けられて水平状態となるとともに前記カール除去装置とシート状物の搬送経路との間に介在し、
片面印刷時には、前記ガイド部材が、退避位置に位置付けられた前記ガイド板に一端側が掛けられた状態で前記カール除去装置とシート状物の搬送経路との間から退避することを特徴とする枚葉輪転印刷機におけるシート状物案内装置。
【請求項２】
請求項１記載の枚葉輪転印刷機におけるシート状物案内装置において、
前記カール除去装置を構成する吸引管に回動自在に嵌装されたホルダを備え、
前記ガイド板は、前記ホルダ間に架設され、当該ホルダを回動させることにより前記退避位置と前記作動位置とに移動することを特徴とする枚葉輪転印刷機におけるシート状物案内装置。
【請求項３】
請求項１記載の枚葉輪転印刷機におけるシート状物案内装置において、
前記カール除去装置を、シート状物搬送経路側に進出する位置とシート状物搬送経路から退避する位置とに移動可能としたことを特徴とする枚葉輪転印刷機におけるシート状物案内装置。
【請求項４】
請求項３記載の枚葉輪転印刷機におけるシート状物案内装置において、
フレームに締結手段によって締結され、締結を緩めることにより所定の範囲だけ揺動可能に支持された一対の腕部材を備え、
前記カール除去装置を構成する前記吸引管は前記腕部材間に横架され、当該腕部材の揺動によってシート状物搬送経路側に進出する位置とシート状物搬送経路から退避する位置とに移動することを特徴とする枚葉輪転印刷機におけるシート状物案内装置。
【発明の詳細な説明】
【０００１】
【発明の属する技術分野】
本発明は、片面印刷と両面印刷との切替が可能な枚葉輪転印刷機におけるシート状物案内装置に関する。
【０００２】
【従来の技術】
この種の枚葉輪転印刷機においては、片面印刷時に、印刷した紙にカールが発生しやすく、これを除去するために、排紙装置にカール除去装置としてエア吸引装置が設けられ、排紙装置の排紙チェーンによって搬送中の印刷紙にカールした方向と反対方向に吸引エアを供給している。一方、両面印刷のときには、印刷紙の裏面側も印刷されるので、この裏側の印刷面に傷が付かないようにするために、カール除去装置を作動させないようにしている。
【０００３】
このような装置として、特許第２７８６４０９号に開示されたものがある。ここに開示されたものは、排紙チェーン側が開口したエアボックスと、このエアボックスの開口を開閉するとともに、エア開孔が設けられたプレートとが備えられている。片面印刷時には、エアボックスにエア吸引源を接続することにより、印刷した紙を開口からエアボックス内に吸引することによってカールを除去し、両面印刷時には、エアボックスの開口をプレートで覆い、エアボックス内にエアを吹き込むことにより、プレートのエア開孔からエアを吹き出し、印刷した紙をプレートから離間させるようにして搬送している。
【０００４】
【発明が解決しようとする課題】
しかしながら、上述した従来の枚葉輪転印刷機おけるシート状物案内装置においては、両面印刷時にエアボックスをプレートによって覆うために、エアボックスの開口から吹き出されたエアによって印刷した紙が波を打つように暴れることがあり、この場合には、紙がプレートに接触し、印刷面に傷が付くという問題があった。
【０００５】
本発明は上記した従来の問題に鑑みなされたものであり、その目的とするところは、両面印刷時において印刷面に傷が付くことを防止した枚葉輪転印刷機におけるシート状物案内装置を提供することにある。
【０００６】
【課題を解決するための手段】
この目的を達成するために、請求項１に係る発明は、片面印刷時にシート状物のカールを除去し、両面印刷時にシート状物のカールを除去しないように切替えられるカール除去装置を備えた枚葉輪転印刷機におけるシート状物案内装置において、シート状物の非画線部に対応して設けられ帯状体または線条体によって形成されたガイド部材と、このガイド部材が一端側に掛けられ退避位置と作動位置に移動されるガイド板とを備え、両面印刷時には、前記ガイド部材が、作動位置に水平状態で位置付けられた前記ガイド板を回り込むようにしてシート状物の搬送経路に進出した位置に位置付けられて水平状態となるとともに前記カール除去装置とシート状物の搬送経路との間に介在し、片面印刷時には、前記ガイド部材が、退避位置に位置付けられた前記ガイド板に一端側が掛けられた状態で前記カール除去装置とシート状物の搬送経路との間から退避するものである。
また、請求項２に係る発明は、請求項１に係る発明において、前記カール除去装置を構成する吸引管に回動自在に嵌装されたホルダを備え、前記ガイド板は、前記ホルダ間に架設され、当該ホルダを回動させることにより前記退避位置と前記作動位置とに移動するものである。
また、請求項３に係る発明は、請求項１に係る発明において、前記カール除去装置を、シート状物搬送経路側に進出する位置とシート状物搬送経路から退避する位置とに移動可能としたものである。
また、請求項４に係る発明は、請求項３に係る発明において、フレームに締結手段によって締結され、締結を緩めることにより所定の範囲だけ揺動可能に支持された一対の腕部材を備え、前記カール除去装置を構成する前記吸引管は前記腕部材間に横架され、当該腕部材の揺動によってシート状物搬送経路側に進出する位置とシート状物搬送経路から退避する位置とに移動するものである。
【０００７】
【発明の実施の形態】
以下、本発明の実施の形態を図に基づいて説明する。図１は本発明に係る枚葉輪転印刷機におけるシート状物案内装置の全体の側面図、図２は同じくカール除去装置の右半分を示す平面図、図３は同じくカール除去装置の左半分を示す平面図である。図４は図２におけるIV-IV 線断面図、図５は図３におけるV-V 線断面図であって、同図（ａ）は片面印刷時の状態を示し、同図（ｂ）は両面印刷時の状態を示す。図６はガイド棒およびボールチェーンと印刷された紙の非画線部との対応を示すモデル図である。
【０００８】
図１において、符号１で示すものは、枚葉輪転印刷機における図示を省略した複数の印刷ユニットのうちの最終の印刷ユニットであって、図示を省略した版胴と、この版胴と互いに対接するゴム胴２と、このゴム胴２と互いに対接する圧胴３と、この圧胴３と互いに対接する渡し胴４とが設けられている。全体を符号５で示すものは、シート状物案内装置としての排紙装置であって、圧胴３に対接する排紙胴６と、この排紙胴６と同軸上に設けられたスプロケット７と、シート状物搬送方向（図中矢印Ａ方向）の下流側に設けられた別のスプロケット８と、これらスプロケット７，８間に張架された左右一対の排紙チェーン９，９（一方の排紙チェーン９は図示せず）とが備えられている。左右一対の排紙チェーン９，９間には、シート状物搬送方向に等間隔に隔てられた複数本の爪竿（図示せず）が支持され、これら爪竿には、軸線方向に複数対並べられた爪と爪台とからなるくわえ爪装置１０が設けられている。
【０００９】
したがって、図示を省略した複数の印刷ユニットによって、片面あるいは両面が印刷されたシート状物としての紙は、圧胴３の爪からくわえ爪装置１０にくわえ替えられ、排紙チェーン９の図中矢印Ａ方向への走行に伴って搬送される。くわえ爪装置１０にくわえられてＡ方向に搬送された紙は、図示を省略したカム手段によってくわえ爪装置１０の爪が開くことにより、くわえが解放されて、図示を省略した紙積台に落下し積載される。以上説明した排紙ないし紙積装置については、従来から広く知られている枚葉輪転印刷機の排紙装置と格別に変わるところはない。
【００１０】
１２Ａ，１２Ｂはガイド棒（図１、図６参照）であって、排紙胴６の外周に沿うように湾曲形成され、排紙胴６の外周から等間隔だけ隔てられるようにして位置付けられている。図６に示すように、これらガイド棒１２Ａ，１２Ｂは、両面に印刷された紙５１の３個の非画線部５１ａに対応するように３本設けられ、中央の非画線部５１ａにガイド棒１２Ａが対応し、左右の非画線部５１ａにガイド棒１２Ｂ，１２Ｂが対応している。これらガイド棒１２Ａ，１２Ｂの径Ｄは、非画線部５１ａの幅Ｂよりも小さく形成されている。
【００１１】
次に、ガイド棒１２Ａ，１２Ｂのシート状物搬送方向の下流側に設けられた吸引装置１４について、図２および図３を用いて説明する。
図２および図３において、１５，１６は左右のサブフレームであって、ブラケット、スタッドを介して装置の左右のフレーム（いずれも図示を省略）に支持されている。これら左右のサブフレーム１５，１６間にはスタッド１７が横架され、このスタッド１７と平行に吸引車軸１８が回転自在に支持されている。この吸引車軸１８の左端部はサブフレーム１５から突出され、この突出端部にはギア１９が軸着されており、このギア１９には、ギア群を介して本機のモータ（いずれも図示を省略）の回転が伝達されている。
【００１２】
２０，２０は左右一対の支持部材であって、一端側がスタッド１７に固定され、他端側において吸引車軸１８を回転自在に支持している。２１Ａ，２１Ｂ，２１Ｂは、吸引車軸１８に嵌挿され、吸引車軸１８の中央と左右に位置付けられた３個の吸引車である。これらの吸引車２１Ａ，２１Ｂ，２１Ｂの周面には多数の吸引孔２１ａが設けられ、内部にはこの吸引孔２１ａに連通される中空部（図示せず）が設けられており、一端にはスリーブ２１ｂが突設されている。２２はダクト部材であって、一端側が吸引車２１のスリーブ２１ｂに嵌挿され、他端側が上述したスタッド１７に摺動自在に支持されている。２３はスリーブ２１ｂに止め輪２３ａによって抜け止めされたリング部材であって、このリング部材２３とダクト部材２２との間に波形のばね座がね２４が介装され、ダクト部材２２はこのばね座がね２４の付勢力によって吸引車２１Ａ，２１Ｂ側に押圧されている。
【００１３】
このダクト部材２２内には中空部（図示せず）が設けられ、この中空部には、ダクト部材２２の一端に取り付けられたホース２５の中空部が連通され、このホース２５には図示を省略したエア吸引源が接続されている。また、このダクト部材２２の中空部は、上述した吸引車２１Ａ，２１Ｂ内の中空部に連通され、吸引車２１Ａ，２１Ｂの吸引孔２１ａ周辺の外気は、これら中空部およびホース２５を介してエア吸引源に吸引される。ダクト部材２２のスタッド１７側の側部には、掛け止め部材２６がボルトによって固定されている。前記吸引車２１Ａ，２１Ｂは、止めねじ２７によって吸引車軸１８に固定され、止めねじ２７の締結を緩めることにより、ダクト部材２２とともにスタッド１７上および吸引車軸１８上を図中左右に摺動自在となる。
【００１４】
次に、図２ないし図５を用いて、本発明の特徴であるカール除去装置２９について説明する。カール除去装置２９は、上述した吸引装置１４のシート状物搬送方向の上流側に吸引装置１４に隣接して位置付けられている。図２および図３に示すように、このカール除去装置２９には、左右のサブフレーム１５，１６に揺動自在に支持された一対の腕部材３０，３０が備えられ、これら一対の腕部材３０，３０は、図４に示すように、水平部材３１とこれと連結された
立設部材３２とによって、側面視が略Ｌ字状に形成されている。これら一対の腕部材３０，３０は、共に同一の形状に形成され、かつ左右のサブフレーム１５，１６に同じ構造で揺動自在に支持されているので、以下、図４を用いてサブフレーム１６側の腕部材３０についてのみ説明する。
【００１５】
腕部材３０は、サブフレーム１６に植設されたピン３３を揺動中心として、水平部材３１の右端部がサブフレーム１６に揺動自在に支持され、水平部材３１の左端部には円形の係合孔３１ａが穿設されている。この係合孔３１ａには、サブフレーム１６に植設され、この係合孔３１ａの径よりも小さい径のピン３４が係入され、腕部材１７は、係合孔３１ａの径とピン３４の径との差異分だけ、ピン３３を揺動中心として揺動可能となっている。また、この腕部材３０は、ピン３３，３４間においてボルト３５によってサブフレーム１６に固定され、スパナ３６によってボルト３５の締結を緩めることができる。締結を緩め、腕部材３０をピン３３を回動中心として図中実線で示すように時計方向に回動させると、後述する吸引管３７が紙５１の搬送経路側に進出し、腕部材３０を図中二点鎖線で示すように反時計方向に揺動させると、吸引管３７が紙５１の搬送経路から退避した位置に位置付けられる。
【００１６】
図２および図３に示すように、吸引管３７は左右一対の腕部材３０，３０間に横架され、この吸引管３７の外周部には、一列に並べられた多数の吸引孔３７ａが穿設されている。図４に示すように、この吸引管３７の外周部には、吸引孔３７ａに対向するように断面が湾曲状に形成されたカール除去板３８が、吸引管３７の軸線方向に延在するように取り付けられている。吸引管３７の外周面とカール除去板３８との間には、断面が略Ｖ字状の吸引空間３９が形成され、この吸引空間３９は、紙５１の搬送経路側、すなわち上方が開口している。この吸引管３７の左端は閉塞され、右端は腕部材３０を貫通するようにして開口され、この右端にエア吸引源に接続されたホース４０が連結され、このホース４０と吸引管３７とが連通されている。
【００１７】
この吸引管３７の両端部には、略円筒状の一対のホルダ４２，４２がＯリング４３を介して、吸引管３７に回動自在に嵌装されており、所定の回動力以上の操作によってホルダ４２が回動可能となっている。このホルダ４２の側部には、略９７°の開き角度を有する側面視が略扇形状の切欠部４４が設けられ、この切欠部４４の両端には係合面４４ａ，４４ｂが形成されている。図５（ａ）において、４５はストッパピンであって、ホルダ４２の切欠部４４内に臨むようにして吸引管３７に固定され、図５（ａ）に示すように、ホルダ４２を反時計方向に回動させると、一方の係合面４４ｂがこのストッパピン４５に係合し、後述するボールチェーン４９Ａ，４９Ｂを片面印刷用に位置付ける。一方、ホルダ４２を図５（ｂ）に示すように、時計方向に回動させると、他方の係合面４４ａがストッパピン４５に係合し、ボールチェーン４９Ａ，４９Ｂを両面印刷用に位置付ける。
【００１８】
図５（ｂ）に示すように、ホルダ４２の外周の一部には、係合凹部４６が設けられ、この係合凹部４６に係合する係合部材４７がサブフレーム１６に固定されている。この係合凹部４６と係合部材４７の係合は、上述したように、他方の係合面４４ａがストッパピン４５に係合し、ボールチェーン４９Ａ，４９Ｂを両面印刷用に位置付けたときに、ボールチェーン４９Ａ，４９Ｂの重量によって、ホルダ４２が反時計方向に回動するのを規制するものである。
【００１９】
これら左右一対のホルダ４２，４２間には、吸引管３７に平行となるように、ガイド板４８が架設されている。ガイド部材としてのボールチェーン４９Ａ，４９Ｂ，４９Ｂは、一端が上述した掛け止め部材２６にボルトによって固定され、他端には錘（図示せず）が取り付けられ、この他端側は吸引管３７の下方を通ってガイド板４８の一端側に掛けられ、図示を省略した左右のフレーム間に横架された軸５０に添接されるようにして下方に垂下されている。
【００２０】
したがって、図５（ａ）に示すように、片面印刷時において、ホルダ４２を反時計方向に回動させ、ガイド板４８をホルダ４２の左端に位置付け、垂直状態としたときには、ボールチェーン４９Ａ，４９Ｂが紙５１の搬送経路から退避した位置に位置付けられる。一方、同図（ｂ）に示すように、両面印刷時において、ホルダ４２を時計方向に回動させ、ガイド板４８をホルダ４２の上端に位置付け、水平状態としたときには、ボールチェーン４９Ａ，４９Ｂが紙５１の搬送経路に進出した位置に位置付けられ、ボールチェーン４９Ａ，４９Ｂが紙５１の搬送経路と吸引管３７との間に介在する。図６に示すように、３本のボールチェーン４９Ａ，４９Ｂ，４９Ｂは、印刷された紙５１の非画線部５１ａに位置付けられ、その幅Ｂ１は非画線部５１ａの幅Ｂよりも小さく形成されている。
【００２１】
次に、このような構成の枚葉輪転印刷機におけるシート状物案内装置の紙の案内動作を説明する。
まず、片面印刷時における紙の案内動作を説明する。初めに図４において、スパナ３６によってボルト３５を緩め、左右一対の腕部材３０，３０を、ピン３３を回動中心として図中時計方向に回動させ、腕部材３０を実線で示す位置、すなわち吸引管３７を紙５１の搬送経路側に進出させる。次に、左右一対のホルダ４２，４２を反時計方向に回動させ、図５（ａ）に示すように、ストッパピン４５にホルダ４２の切欠部４４の他方の係合面４４ｂを係合させ、ガイド板４８をホルダ４２の左端に位置付け、垂直状態とする。したがって、ボールチェーン４９Ａ，４９Ｂはガイド板４８に追従して、紙５１の搬送経路から退避した位置に位置付けられる。また、吸引管３７のホース４０に接続されたエア吸引源（図示せず）を作動させて、吸引孔３７ａ周辺の外気を、吸引管３７の中空部およびホース４０を介してエア吸引源に吸引する。
【００２２】
このような状態としてから、片面印刷を開始すると、図１において、印刷ユニットによって印刷された紙５１は、最終の印刷ユニット１の圧胴３の爪からくわえ爪装置１０の爪にくわえ替えられる。排紙チェーン９の図中矢印Ａ方向の走行に追従して紙５１も矢印Ａ方向に搬送され、吸引管３７の上方を通過すると、吸引孔３７ａ側に吸引される。このとき、カール除去板３８と吸引管３７の外周部との間に断面がＶ字状の吸引空間３９が形成されているので、紙５１は吸引空間３９と同じ形状に変形させられる。したがって、片面印刷によってカールした紙５１がこの吸引空間３９内に吸引されることによって、カールが除去される。カールが除去された紙５１は、吸引車２１Ａ，２１Ｂによって吸引されることにより、紙５１のばたつきが規制されるとともに、搬送の速度が低減されるので、紙くわえ装置１０の爪のくわえから解放された後、図示を省略した紙積台に揃えられて積載される。
【００２３】
次に、両面印刷を行うときの紙の案内動作を説明する。
まず、図４において、スパナ３６によってボルト３５を緩め、左右一対の腕部材３０，３０を、ピン３３を回動中心として図中反時計方向に回動させ、腕部材３０，３０を二点鎖線で示す位置、すなわち吸引管３７を紙５１の搬送経路から退避させる。次に、左右一対のホルダ４２，４２を時計方向に回動させ、図５（ｂ）に示すように、ストッパピン４５にホルダ４２の切り欠き部４４の一方の係合面４４ａを係合させ、ガイド板４８をホルダ４２の上端に位置付け、水平状態とする。このとき、係合部材４７にホルダ４２の係合凹部４６が係合するので、ボールチェーン４９Ａ，４９Ｂの自重により、ホルダ４２が反時計方向に回動するのが規制され、ガイド板４８がこのままの状態で保持される。したがって、ボールチェーン４９Ａ，４９Ｂは、ガイド板４８を回り込むようにして、紙５１の搬送経路に進出した位置に位置付けられ、紙５１の搬送経路と吸引管３７との間に介在するように位置付けられる。また、吸引管３７のホース４０に接続されたエア吸引源（図示せず）を非作動状態とし、吸引孔３７ａによる紙５１の吸引、すなわちカール除去動作が停止される。
【００２４】
このような状態としてから、両面印刷を開始すると、図１において、印刷ユニットによって印刷された紙５１は、最終の印刷ユニット１の圧胴３の爪からくわえ爪装置１０の爪にくわえ替えられる。くわえ替えられた紙５１は、ガイド棒１２Ａ，１２Ｂによってばたつきが防止されて、排紙チェーン９の走行に追従して搬送される。このとき、ガイド棒１２が紙５１の印刷された裏面側に接触するが、ガイド棒１２Ａ，１２Ｂが、紙５１の非画線部５１ａに位置付けられ、かつガイド棒１２Ａ，１２Ｂの径Ｄが非画線部５１ａの幅Ｂよりも小さく形成されている。このため、紙５１の画線部５１ｂにガイド棒１２Ａ，１２Ｂが接触して画線部５１ｂの印刷面に傷を付けたりすることがない。
【００２５】
くわえ爪装置１０の爪にくわえられた紙５１は、両面印刷によって印刷されているのでカールは発生していない。この紙５１が、吸引管３７の上方を通過すると、ボールチェーン４９が紙５１の搬送経路に進出し、紙５１の搬送経路と吸引管３７との間に介在しているので、紙５１はボールチェーン４９Ａ，４９Ｂに摺接しながら搬送される。このとき、吸引管３７によるカール除去動作が停止されているので、紙５１が吸引管３７側に吸引されることがない。したがって、紙５１がばたついたりするようなことがないとともに、吸引管３７に接触するようなこともない。しかも、ボールチェーン４９Ａ，４９Ｂが、紙５１の非画線部５１ａに位置付けられ、かつボールチェーン４９Ａ，４９Ｂの幅Ｂ１が非画線部５１ａの幅Ｂよりも小さく形成されている。したがって、紙５１の画線部５１ｂにボールチェーン４９Ａ，４９Ｂが接触して画線部５１ｂの印刷面に傷を付けたりすることがないので、印刷品質が向上するとともに、ボールチェーン４９Ａ，４９Ｂが紙５１に対して球面接触となるので、紙５１がボールチェーン４９Ａ，４９Ｂに対して円滑に滑り、紙５１の搬送が妨げられるようなことない。また、片面印刷と両面印刷とに切替えるために、ボールチェーン４９Ａ，４９Ｂを紙５１の搬送経路に進出または退避させるのに、ホルダ４２の回動操作によって行えるので、切替えの作業が容易になるとともに、作業時間を短縮できる。また、ホルダ４２を回動させる作業と、ボルト３５をスパナ３６によって緩めて腕部材３０を揺動させる作業とを、排紙装置５の上方から立ったままの姿勢で行えるので、安全性が向上するとともに、作業効率が向上する。
【００２６】
ここで、印刷した紙５１のサイズに変更が生じ、非画線部５１ａの位置が変更されたら、図２および図３において、止めねじ２７を緩め、ボールチェーン４９が変更された非画線部５１ａに対応するように、左右の吸引車２１Ａ，２１Ａとダクト部材２２を左右に移動させ、止めねじ２７を締結する。この場合、中央に位置する非画線部５１ａの位置に変更が生じないので、中央のボールチェーン４９Ａの位置は固定したままの状態にしておく。一方、左右のボールチェーン４９Ｂ，４９Ｂは、左右の非画線部５１ａが中央の非画線部５１ａを中心として左右対称の位置に位置付けられるので、ボールチェーン４９Ａを中心として左右に対称な位置に位置付けられる。換言すれば、複数の非画線部に対応させて複数のボールチェーン４９およびガイド棒１２を設ける場合には、左右のボールチェーン４９Ｂおよびガイド棒１２Ｂのそれぞれが印刷された紙５１の幅方向に対して対称に位置付けられている。
【００２７】
図７は本発明の第２の実施の形態を示し、同図（ａ）は要部を示す平面図、同図（ｂ）は同じく片面印刷時の側面図、同図（ｃ）は同じく両面印刷時の側面図である。
この第２の実施の形態が上述した第１の実施の形態と異なる点は、ボールチェーン４９Ａ，４９Ｂの一端に掛け止め輪６０を取り付け、掛け止め部材２６にフック６１を取り付けた点と、ホルダ４２を設けずに、ガイド板４８を直接吸引管３７に固定した点にある。
【００２８】
このような構成において、片面印刷を行うときには、同図（ｂ）に示すように、ボールチェーン４９Ａ，４９Ｂの一端の掛け止め輪６０をフック６１に掛け、他端側を吸引管３７の下方を通しガイド板４８の上端に掛けてから軸５０を添接させるようにして下方に垂下させる。ボールチェーン９を吸引管３７の下方を通すことにより、ボールチェーン４９Ａ，４９Ｂを紙５１の搬送経路から退避させることができる。
【００２９】
次に、両面印刷に切替える場合には、同図（ｃ）に示すように、上述した第１の実施の形態と同様に、スパナ３６を用いて腕部材３０を、ピン３３を回動中心として図中反時計方向に回動させる。そして、ボールチェーン４９Ａ，４９Ｂの掛け止め輪６０をフック６１から外し、吸引管３７の下方を通していたボールチェーン４９Ａ，４９Ｂを吸引管３７の上方に通し直し、再び掛け止め輪６０をフック６１に掛けることにより、ボールチェーン４９Ａ，４９Ｂが紙５１の搬送経路と吸引管３７との間に介装される。
【００３０】
このように、掛け止め輪６０のフック６１への着脱により片面印刷と両面印刷との切替えができるので、切替えの作業が容易になる。また、ホルダ４２を不要としたことにより、部品点数が削減されるだけではなく、構造が簡易になる。なお、この第２の実施の形態においては、ガイド板４８は必ずしも必要ではなく、ボールチェーン４９Ａ，４９Ｂの他端側を直接軸５０に添接させるようにしてもよい。また、ボールチェーン４９Ａ，４９Ｂの一端側を掛け止め部材２６に着脱自在とする構造は、掛け止め輪６０とフック６１に限らず、種々の設計変更が可能である。
【００３１】
なお、本実施の形態においては、ボールチェーン４９Ａ，４９Ｂを３本としたが、２本でも４本以上でもよく、要は非画線部に対応させた本数であればよい。また、シート状物を紙５１としたが、フィルム等でもよく、これに限定されない。また、ガイド棒１２Ａ，１２Ｂの径Ｄを非画線部５１ａの幅Ｂよりも小さく形成したが、例えば、ガイド棒１２Ａ，１２Ｂの断面形状を湾曲状として、ガイド棒１２Ａ，１２Ｂの非画線部５１ａの接触状態を線接触とした場合には、必ずしも小さくする必要はない。要は、ガイド棒１２Ａ，１２Ｂの非画線部５１ａに対する接触幅が、非画線部５１ａの幅Ｂよりの小さくなればよい。同様に、ボールチェーン４９Ａ，４９Ｂが非画線部５１ａに対して点接触状態となっているので、必ずしもボールチェーン４９Ａ，４９Ｂの幅Ｂ１を非画線部５１ａの幅Ｂよりも小さく形成する必要はない。その場合、ガイド部材として、ボールチェーン４９Ａ，４９Ｂ以外に、ベルト等の帯状体やひも等の線状体を用いてもよく、これらの帯状体あるいは線状体の非画線部５１ａに対する接触幅が、非画線部の幅Ｂよりも小さくなればよい。
【００３２】
【発明の効果】
以上説明したように、請求項１に係る発明によれば、両面印刷時に、紙の印刷面にカール除去装置が接触して印刷面に傷を付けたりするようなことがなく、品質の向上を図ることができる。
【００３３】
また、請求項２に係る発明によれば、両面印刷時に、第２のガイド部材によって印刷面に傷を付けたりするようなことがなく、品質の向上を図ることができる。
【００３４】
また、請求項３に係る発明によれば、複数の非画線部を有する紙に対しても、両面印刷時に、紙の印刷面にカール除去装置およびガイド棒が接触して印刷面に傷を付けたりするようなことがなく、品質の向上を図ることができる。
【図面の簡単な説明】
【図１】  本発明に係る枚葉輪転印刷機におけるシート状物案内装置の全体の側面図である。
【図２】  本発明に係る枚葉輪転印刷機におけるシート状物案内装置においてカール除去装置の右半分を示す平面図である。
【図３】  本発明に係る枚葉輪転印刷機におけるシート状物案内装置においてカール除去装置の左半分を示す平面図である。
【図４】  図２におけるIV-IV 線断面図である。
【図５】  図３におけるV-V 線断面図であって、同図（ａ）は片面印刷時の状態を示し、同図（ｂ）は両面印刷時の状態を示す。
【図６】  本発明に係る枚葉輪転印刷機におけるシート状物案内装置おいて、ガイド棒およびガイドチェーンと印刷された紙の非画線部との対応を示すモデル図である。
【図７】  本発明の第２の実施の形態を示し、同図（ａ）は要部を示す平面図、同図（ｂ）は同じく片面印刷時の側面図、同図（ｃ）は同じく両面印刷時の側面図である。
【符号の説明】
１２Ａ，１２Ｂ…ガイド棒、２９…カール除去装置、３０…腕部材、３７…吸引管、３７ａ…吸引孔、３８…カール除去板、４２…ホルダ、４８…ガイド板、４９Ａ，４９Ｂ…ボールチェーン、５１…紙、６０…掛け止め輪、６１…フック。
【図１】
0004407986.tif 000002
【図２】
0004407986.tif 000003
【図３】
0004407986.tif 000004
【図４】
0004407986.tif 000005
【図５】
0004407986.tif 000006
【図６】
0004407986.tif 000007
【図７】
0004407986.tif 000008